(57)【要約】【課題】原稿及び成果物の秘匿性を確保することのできる画像形成装置を提供する。【解決手段】原稿Ｄ及びスキャナ部２０２により画像が読み取られた後の画像読取済み原稿Ｄ１を格納する原稿格納庫１１０及び読取原稿格納庫１０４と、画像が形成されたシートを格納する成果物格納庫１２２とを有する格納容器１０２を自動原稿給送装置３００に着脱自在に取り付ける。そして、画像形成部２２０により画像が形成されたシートを成果物格納庫１２２に格納する格納通路４０３を設け、原稿画像を読み取る際には、原稿格納庫１１０に格納された原稿Ｄを画像読取部に搬送すると共に画像読取済み原稿Ｄ１を読取原稿格納庫１０４に格納し、シートＳに画像が形成された際には、画像が形成されたシートを格納通路４０３により成果物格納庫１２２に格納する。【選択図】図３
2010232864.tif 000002
【特許請求の範囲】
【請求項１】
原稿の画像を読み取る画像読取部と、前記画像読取部によって読み取った画像情報に基づいてシートに画像を形成する画像形成部と、を備えた画像形成装置において、
画像形成装置本体に着脱自在に取り付けられ、読取前の原稿と、前記画像読取部により画像が読み取られた後の画像読取済み原稿と、画像が形成されたシートと、を格納する格納手段と、
前記画像読取部により画像が読み取られた後の画像読取済み原稿を前記格納部へ案内する原稿格納通路と、
前記画像形成部により画像が形成されたシートを前記格納部へ案内するシート格納通路と、を備え、
前記格納手段に格納された原稿を前記画像読取部に搬送すると共に画像読取済み原稿を前記原稿格納通路により前記格納手段へ案内し、前記原稿の画像情報に基づいて画像が形成されたシートを前記シート格納通路により前記格納手段へ案内することを特徴とする画像形成装置。
【請求項２】
前記画像形成部により画像が形成されたシートを排出すると共に、前記格納通路が分岐したシート排出通路と、
前記格納通路と前記シート排出通路との分岐点に設けられ、画像が形成されたシートを選択的に前記格納通路に案内する切換部材と、を備えたことを特徴とする請求項１記載の画像形成装置。
【請求項３】
前記格納手段は原稿を格納する格納部と、前記画像形成部で画像が形成されたシートを格納する格納部を有することを特徴とする請求項１又は２記載の画像形成装置。
【請求項４】
前記格納手段は、原稿を格納する格納部と、画像読取済み原稿を格納する格納部と、前記画像形成部で画像が形成されたシートを格納する格納部を有することを特徴とする請求項１又は２記載の画像形成装置。
【請求項５】
前記画像形成装置本体に着脱自在に取り付けられた前記格納手段の取り外しを規制する取り外し規制手段を備え、
前記画像形成部により画像が形成されている間、前記取り外し規制手段により前記格納手段の取り外しを規制することを特徴とする請求項１ないし４のいずれか１項に記載の画像形成装置。
【請求項６】
前記画像形成部により画像が形成されている間、前記格納手段の取り外しを規制する表示を行う表示手段を備えたことを特徴とする請求項５記載の画像形成装置。
【発明の詳細な説明】
【技術分野】
【０００１】
本発明は、画像形成装置に関し、特に原稿及び画像が形成されたシートの秘匿性を確保するための構成に関する。
【背景技術】
【０００２】
従来、デジタル複写機、プリンタ、ファクシミリ等の画像形成装置においては、原稿の画像を読み取る画像読取部と、画像読取部によって読み取った画像情報に基づいてシートに画像を形成する画像形成部を備えたものがある。このような画像形成装置において、シートに画像を形成する場合は、まず原稿搬送部により原稿を画像読取部に搬送し、画像読取部によって原稿画像を読み取った後、画像情報に基づいて画像形成部によりシートに画像を形成する。そして、このようにシートに画像を形成した後、シートをシート排出部に排出する。
【０００３】
ところで、従来の画像形成装置の一例である複写機において、利用者が複写操作をする際には、原稿台もしくは原稿搬送部を構成する自動原稿給送装置に複写する原稿を置くことで複写動作（画像形成動作）を開始する。ところが、原稿の複写の際、利用者が複写前や複写済の原稿、複写されたシートである成果物を置き忘れる場合があり、この場合、特に置き忘れた原稿や成果物が他人には見られたくない機密書類等の場合、情報漏洩が発生するおそれがある。
【０００４】
そこで、このような置き忘れによる情報漏洩を防止するため、即ち原稿や成果物の秘匿性を確保するため、近年の複写機においては、画像が読み取られた後の原稿を保管する原稿保管部を設けた物がある（特許文献１参照）。また、同様に、機密情報等が複写され、複写機から排出される成果物を、第三者から秘匿する秘匿手段を設けた物がある（特許文献２参照）。
【先行技術文献】
【特許文献】
【０００５】
【特許文献１】特開２００６−１０８７９６号公報
【特許文献２】特開２００４−９８３７９号公報
【発明の概要】
【発明が解決しようとする課題】
【０００６】
しかしながら、このように原稿保管部や秘匿手段を備えた従来の複写機（画像形成装置）において、複写動作を行っている際、複写しようとしている原稿が覗き見される場合がある。また、原稿台や自動原稿給送装置に置かれた原稿が持ち去られる場合がある。さらに、成果物が、他者の複写行為による成果物と混載される可能性があり、この場合、成果物を無作為的に所有者以外が持ち去っていく場合がある。このように、従来は、原稿及び成果物の秘匿性を確保するのが困難であった。そこで、本発明は、このような現状に鑑みてなされたものであり、原稿及び成果物の秘匿性を確保することのできる画像形成装置を提供することを目的とするものである。
【課題を解決するための手段】
【０００７】
本発明は、原稿の画像を読み取る画像読取部と、前記画像読取部によって読み取った画像情報に基づいてシートに画像を形成する画像形成部と、を備えた画像形成装置において、画像形成装置本体に着脱自在に取り付けられ、読取前の原稿と、前記画像読取部により画像が読み取られた後の画像読取済み原稿と、画像が形成されたシートと、を格納する格納手段と、前記画像読取部により画像が読み取られた後の画像読取済み原稿を前記格納部へ案内する原稿格納通路と、前記画像形成部により画像が形成されたシートを前記格納部へ案内するシート格納通路と、を備え、前記格納手段に格納された原稿を前記画像読取部に搬送すると共に画像読取済み原稿を前記原稿格納通路により前記格納手段へ案内し、前記原稿の画像情報に基づいて画像が形成されたシートを前記シート格納通路により前記格納手段へ案内することを特徴とするものである。
【発明の効果】
【０００８】
本発明のように、原稿及び画像読取済み原稿を原稿格納部に格納すると共に、シートに画像が形成された際には、画像が形成されたシートをシート格納通路によってシート格納部に案内することにより、原稿及び成果物の秘匿性を確保することができる。
【図面の簡単な説明】
【０００９】
【図１】本発明の第１の実施の形態に係る画像形成装置の一例である複写機の構成を示す図。
【図２】上記複写機に着脱自在に取り付けられる格納容器の斜視図。
【図３】上記格納容器を上記複写機の原稿搬送装置に着脱自在に取り付けたときの状態を示す図。
【図４】上記複写機の制御ブロック図。
【図５】上記複写機の格納容器を用いて行われる複写動作を説明するフローチャート。
【図６】本発明の第２の実施の形態に係る画像形成装置の一例である複写機に設けられ、格納容器をロックするロック機構の構成を説明する図。
【図７】上記複写機の格納容器を用いて行われる複写動作を説明するフローチャート。
【図８】上記格納容器の他の構成を示す斜視図。
【発明を実施するための形態】
【００１０】
以下、本発明を実施するための最良の形態を、図面に基づき詳細に説明する。図１は、本発明の第１の実施の形態に係る画像形成装置の一例である複写機の構成を示す図である。図１において、２００は複写機、２００Ａは画像形成装置本体である複写機本体であり、この複写機本体２００Ａの上面には画像読取装置２０１が、また複写機本体２００Ａの内部には画像形成部２２０が設けられている。また、２５０は、複写機本体２００の複写動作等を制御する制御部である。
【００１１】
画像読取装置２０１は原稿の画像を読み取る原稿画像読取部であるスキャナ部２０２と、スキャナ部２０２の上面に上下方向に開閉回動可能に設けられ、スキャナ部２０２に原稿を搬送する原稿搬送部である自動原稿給送装置（ＡＤＦ）３００とを備えている。ここで、スキャナ部２０２は、スキャナ部２０２の上面に設けられているシート載置台としてのプラテンガラス２０３と、プラテンガラス２０３上の原稿の画像を走査して読み取るための画像読取手段２０４を備えている。
【００１２】
自動原稿給送装置３００は、プラテンガラス２０３に載置された原稿を上方より押えるシート押圧部を構成するものであり、スキャナ部２０２のシート搬送方向と平行な一端に開閉自在に取付けられている。そして、プラテンガラス２０３上に原稿を載置する場合は、自動原稿給送装置３００を開放した後、プラテンガラス２０３上の所定の画像読み取り位置に原稿を載置するようにしている。
【００１３】
また、この自動原稿給送装置３００は、原稿が載置される原稿トレイ３０１と、原稿を給送する給送部３０２を備えている。ここで、給送部３０２は、原稿トレイ３０１に画像形成面を上にした状態で積載された原稿を順次最上位のものから一枚ずつ取出しプラテンガラス２０３の一端側（図中左端側）に供給するためのものである。そして、この給送部３０２には、原稿トレイ３０１に載置された原稿を給送するための原稿給送手段３０４と、プラテンガラス２０３上に原稿を搬送する原稿搬送部３０５とが設けられている。なお、この原稿搬送部３０５には、プラテンガラス２０３の上面を覆うように搬送ベルト３０６が設けられている。また、給送部３０２には画像が読み取られた後の原稿を、原稿トレイ３０１に排出するための排紙ローラ３０７が設けられている。そして、この排紙ローラ３０７は、搬送ベルト３０６によってプラテンガラス２０３の左端側から搬出された原稿を受け取って原稿トレイ３０１に排出する。
【００１４】
次に、このように構成された画像読取装置２０１の、例えば自動原稿給送装置３００によりプラテンガラス上に搬送された原稿の画像を読み取る動作について説明する。この場合、まず自動原稿給送装置３００において、原稿トレイ３０１に載置された原稿を給送部３０２によりスキャナ部２０２のプラテンガラス２０３上に搬送し、この後、原稿は搬送ベルト３０６により搬送される。次に、原稿は、搬送ベルト３０６によりプラテンガラス２０３上の所定の画像読み取り位置に搬送され、この位置で停止する。
【００１５】
このように原稿が画像読み取り位置で停止した後、スキャナ部２０２の画像読取手段２０４を矢印方向に移動し、原稿画像を読み取る。なお、このように画像読取手段２０４によって読み取られた画像情報は、後述する図４に示す内部メモリ２５２に画像情報として格納される。次に、このようにしてスキャナ部２０２において画像が読み取られた後、例えば画像が読み取られた原稿を原稿トレイ３０１上に排出する場合は、搬送ベルト３０６を反転させ、画像読取り済の原稿を排紙ローラ３０７に搬送する。そして、この後、画像読取り済の原稿は、原稿格納通路３０７に設けられた排紙ローラ３０７により案内されて原稿トレイ３０１に排出される。
【００１６】
一方、画像形成部２２０には、露光手段２３０、円筒状の感光ドラム２２１、帯電器２２２、現像器２２３、クリーニング装置２２４が設けられている。さらに、画像形成部２２０の下流側には定着装置２２５、排紙ローラ２２６及び排紙トレイ４０１を備えたシート排出部２７１等が配設されている。そして、画像形成部２２０においてシートに画像を形成する際は、まず既述したように画像読取装置２０１により読み取られ、内部メモリに格納されている画像情報に基づき、露光手段２３０が不図示のポリゴンミラー等を介して感光ドラム２２１に光を照射する。このとき、感光ドラム２２１の表面は帯電器２２２により一様に帯電されており、このように光が照射されると、感光ドラム表面に静電潜像が形成され、この静電潜像を現像器２２３により現像することにより、感光ドラム表面にトナー像が形成される。
【００１７】
一方、このようなトナー像形成動作に並行してカセット２４０にセットされたシートＳが給紙ローラ２４１によってレジストローラ２４２まで搬送される。次に、シートＳは、レジストローラ２４２によってシート先端と感光ドラム２２１のトナー像の先端を合わせるようなタイミングで感光ドラム２２１と転写帯電器２４３とにより構成される転写部まで搬送される。そして、転写部を通過する際、転写帯電器２４３に転写バイアスが印加されることにより、感光ドラム上のトナー像がシートＳに転写される。次に、トナー像が転写されたシートＳは、定着装置２２５まで搬送され、定着装置２２５を通過する際に、トナー像が熱定着される。そして、定着されたシートＳは、シート排出部３０９に設けられた排紙ローラ２２６により排紙トレイ４０１に排出される。
【００１８】
ところで、本実施の形態においては、他人には見られたくない機密書類等の秘匿性を確保すべき原稿を複写する場合がある。この場合には、図２に示す格納手段である格納容器１０２に機密書類等の原稿を格納した後、この格納容器１０２を複写機本体２００Ａ、例えば図３に示すように自動原稿給送装置３００に着脱自在にセットする。ここで、この格納容器１０２は、格納されている内容物が視認不可となるよう、例えばＡＢＳ樹脂やポリカーボネート等の不透明な材料により形成されている。なお、半透明の材質であっても、格納された原稿や成果物が視認出来なければ、格納容器１０２を他の材質のもので形成しても良い。
【００１９】
格納容器１０２は、読取前の原稿Ｄを格納する第１の格納部である原稿格納庫１１０と、画像原稿が読み取られた画像読取済み原稿（以下、読取原稿という）Ｄ１を格納する第２の格納部である読取原稿格納庫１０４とを備えた原稿格納部を備えている。また、この格納容器１０２は、後述するように機密書類等の原稿を複写したシートである成果物Ｓ１を格納するシート格納部である成果物格納庫１２２を備えている。
【００２０】
なお、図２において、１０３は格納容器本体１０２ａに一端が軸支され、格納容器本体１０２ａに開閉自在に設けられた第１の蓋であり、原稿Ｄを格納する際には、この第１の蓋１０３を開放して原稿格納庫１１０に格納する。また、１０５は格納容器本体１０２ａに一端が軸支され、格納容器本体１０２ａに開閉自在に設けられた第１シャッタであり、読取原稿格納庫１０４に格納された読取原稿Ｄ１を取り出す際には、この第１シャッタ１０５を開放する。
【００２１】
１２０は格納容器本体１０２ａに一端が軸支され、格納容器本体１０２ａに開閉自在に設けられた第２の蓋であり、成果物格納庫１２２に格納された成果物Ｓ１を取り出す際には、この第２の蓋１２０を開放して取り出す。１０７は格納容器本体１０２ａに一端が軸支され、格納容器本体１０２ａに開閉自在に設けられた第２シャッタであり、この第２シャッタ１０７により原稿格納庫１１０、読取原稿格納庫１０４及び成果物格納庫１２２の一側が閉じられるようになっている。ここで、この第２シャッタ１０７は、格納容器１０２を持ち運ぶ際には不図示のバネにより閉じられるようになっている。そして、このように第２シャッタ１０７が閉じられることにより、格納容器１０２を持ち運ぶ際、格納容器１０２から原稿等が飛び出して見られるのを防ぐことができる。
【００２２】
なお、第２シャッタ１０７の下端には係合部１０６が突設されている。そして、この係合部１０６は、図３に示すように格納容器１０２がセットされた際、自動原稿給送装置３００に設けられた不図示の突起部に引っかかるようになっており、これにより第２シャッタ１０７は、不図示のバネに抗しながら下方回動する。ここで、第２シャッタ１０７が下方回動することにより、原稿格納庫１１０、読取原稿格納庫１０４及び成果物格納庫１２２の一側が開放され、この結果、原稿Ｄの送り出し、読取原稿Ｄ１及び成果物Ｓ１の格納が可能となる。なお、格納容器１０２を自動原稿給送装置３００にセットした際、第２シャッタ１０７以外の第１シャッタ１０５、第１の蓋１０３及び第２蓋１２０は、自動原稿給送装置３００と干渉して開放できないように構成されている。
【００２３】
ところで、本実施の形態において、全ての原稿Ｄの読み取りが終了すると、画像形成部２２０によりシートに画像が形成され、このように画像が形成された成果物Ｓ１を格納容器１０２の成果物格納庫１２２に格納するようにしている。つまり、本実施の形態においては、画像形成動作を行った場合には、画像形成された成果物Ｓ１を格納容器１０２に格納する構成となっている。そして、このように構成することにより、複写操作を行っている際に、複写しようとしている原稿の覗き見を防止すると共に、自動原稿給送装置３００に置かれている原稿や、成果物を実際に取り出して持ち運ぶ際の安全性を保護するようにしている。
【００２４】
このため、本実施の形態においては、図３に示すように、画像形成された成果物Ｓ１を、格納容器１０２の成果物格納庫１２２に格納するため、通常のシートを排紙トレイ４０１に搬送するシート排出通路４０２から分岐した格納通路４０３を備えている。なお、４０４は、格納通路４０３とシート排出通路４０２との分岐点に配され、画像が形成されたシートを選択的に格納通路４０３に案内するための切換部材であり、この切換部材４０４は、図４に示すソレノイドＳＬにより切り替えられる。また、本実施の形態では、成果物Ｓ１を選択的に成果物格納庫１２２に格納する際は、ソレノイドＳＬをＯＮにして切換部材４０４を下方回動させるようにしている。
【００２５】
なお、図４は、複写機２００の制御ブロック図である。図４に示すように制御部２５０には、ソレノイドＳＬ、不図示のコピーボタン及び表示部２５３ａを備えた操作部２５３、内部メモリ２５２、画像形成部２２０、画像読取装置２０１が接続されている。また、この制御部２５０には、後述する第２の実施の形態に係るロック機構６００が選択的に接続されている。
【００２６】
次に、このような格納容器１０２を用いて行われる複写機２００の複写動作について説明する。まず、ユーザは格納容器１０２の第１の蓋１０３を開放することにより、原稿Ｄを原稿格納庫１１０に格納し、この後、原稿Ｄが格納された格納容器１０２を、図３に示すように自動原稿給送装置３００に傾斜した状態でセットする。この際、格納容器１０２の第２シャッタ１０７の係合部１０６が、自動原稿給送装置３００に設けられている突起部に引っかかり、第２シャッタ１０７が開放される。この結果、原稿格納庫１１０、読取原稿格納庫１０４及び成果物格納庫１２２の給送部側が開放され、原稿格納庫１１０に格納されている原稿Ｄが自動原稿給送装置３００の給送部３０２の方向に移動する。
【００２７】
次に、この状態でコピーボタンが押下されると、自動原稿給送装置３００の給送部３０２により原稿格納庫１１０に格納されている原稿Ｄがプラテンガラス２０３上に送り出され、画像読取手段２０４により原稿画像が読み取られる。なお、このように画像が読み取られた後、読取原稿Ｄ１は、搬送ベルト３０６の反転と、排紙ローラ３０７により格納容器１０２内の読取原稿格納庫１０４に格納される。なお、このように順次読み取られた原稿Ｄの画像情報は、一旦、内部メモリ２５２に格納される。
【００２８】
次に、全ての原稿Ｄの読み取りが終了すると、内部メモリ２５２に格納した画像情報に基づき画像形成部２２０により画像形成を行うと共に、ソレノイドをＯＮにして切換部材４０４を下方回動させる。これにより、画像形成部２２０により画像が形成された成果物Ｓ１は、切換部材４０４により選択的に格納通路４０３に案内され、格納容器１０２の成果物格納庫１２２に格納される。
【００２９】
なお、全ての原稿データがシート上に画像形成され、成果物Ｓ１の全てが格納容器１０２に格納された後、ユーザにより格納容器１０２は取り外される。そして、ユーザは、この後、第１シャッタ１０５を開放して読取原稿格納庫１０４内の読取原稿Ｄ１を取り出し、更に成果物Ｓ１を第２の蓋１２０を開放することにより成果物格納庫１２２から取り出す。
【００３０】
次に、このような格納容器１０２を用いて行われる複写機２００の複写動作について図５に示すフローチャートを用いて説明する。ユーザは、他人に見せたくない原稿を複写しようとする場合、まず複写する原稿Ｄを格納容器１０２の原稿格納庫１１０に格納する（Ｓ２０２）。次に、格納容器１０２を自動原稿給送装置３００にセット（接続）する（Ｓ２０３）。この際、第２シャッタ１０７は、バネに抗しながら下方回動し、これにより原稿格納庫１１０、読取原稿格納庫１０４及び成果物格納庫１２２の給送部側が開放される。
【００３１】
次に、ユーザが操作部２５３に設けられた不図示のコピーボタンを押下すると（Ｓ２０４のＹ）、原稿格納庫１１０に格納された原稿Ｄが自動原稿給送装置３００の給送部３０２によりプラテンガラス２０３上の画像読み取り位置に順次搬送される。そして、この位置で順次画像読取手段２０４により原稿が読取られる（Ｓ２０５）。ここで、このように画像読取手段２０４により順次読み取った原稿画像情報である読取原稿データは内部メモリ２５２に格納される（Ｓ２０６）。また、このように画像情報が読み取られた読取原稿Ｄ１は、排紙ローラ３０７により搬送されて格納容器１０２の読取原稿格納庫１０４に格納される（Ｓ２０７）。
【００３２】
次に、このような原稿画像の読み取り及び読取原稿Ｄ１の格納を順次行い、やがて読取原稿Ｄ１の読取原稿格納庫１０４への格納が全て終了すると、操作部２５３に設けられた表示部２５３ａには読取が終了したことを示す「読取終了」が表示される（Ｓ２０８）。この表示の後、内部メモリ２５２の読み取りデータに基づき画像形成が開始される（Ｓ２０９）。
【００３３】
次に、画像形成された成果物Ｓ１は、切換部材４０４の切換によりシート格納通路である格納通路４０３に搬送され（Ｓ２１０）、排紙ローラ２２６により、格納容器１０２の格納場所である成果物格納庫１２２に格納される（Ｓ２１１）。なお、この後、このように成果物Ｓ１が成果物格納庫１２２に順次格納され、やがて全ての成果物Ｓ１が格納されると、操作部２５３の表示部２５３ａには、成果物Ｓ１が格納されたことを示す「格納終了」が表示される（Ｓ２１２）。そして、このような表示が行われると、ユーザは格納容器１０２を自動原稿給送装置３００から取り外す（Ｓ２１３）。
【００３４】
次に、このように格納容器１０２を取り外した後、ユーザは第１シャッタ１０５を開放して読取原稿格納庫１０４内の読取原稿Ｄ１を取り出し、更に成果物Ｓ１を成果物格納庫１２２の第２の蓋１２０を開放することにより取り出す。このように、原稿画像を読み取る際には、原稿Ｄを格納した格納部材１０２を自動原稿給送装置３００に取り付け、自動原稿給送装置３００により原稿Ｄをスキャナ部２０２に搬送すると共に読取原稿Ｄ１を読取原稿格納庫１０４に格納する。また、成果物Ｓ１は、成果物格納庫１２２に格納する。
【００３５】
このように構成することにより、複写操作を実際に行っている際に、複写しようとしている原稿の覗き見を防止し、自動原稿給送装置３００に置かれている原稿や、成果物を実際に取り出して持ち運ぶ際の安全性を保護することができる。また、複写する原稿の置き忘れ、成果物の混載、他人による成果物の持ち去り等から発生する情報漏洩を防止することができる。
【００３６】
以上説明したように、本実施の形態においては、原稿Ｄを原稿格納庫１１０に、読取原稿Ｄ１を読取原稿格納庫１０４にそれぞれ格納すると共に、格納通路４０３を設け、成果物Ｓ１を格納通路４０３によってシート格納部に格納するようにしている。これにより、原稿Ｄ、読取原稿Ｄ１及び成果物Ｓ１の秘匿性を確保することができる。また、原稿Ｄ、読取原稿Ｄ１及び成果物Ｓ１を同一の格納部材１０２に格納することができるので、原稿Ｄ、読取原稿Ｄ１及び成果物Ｓ１が持ち去られるおそれもない。
【００３７】
ところで、これまで説明したように本実施の形態においては、格納容器１０２を自動原稿給送装置３００にセットした後、原稿画像を読み取り、この後、成果物を格納容器１０２に格納するようにしている。ここで、このように構成した場合、原稿読み取り中、又は画像形成中、原稿や成果物の目視ができないことから、このようなときでも自動原稿給送装置３００にセットされた格納容器１０２をユーザが誤って取り外さないようにする必要がある。
【００３８】
次に、このように画像形成中の場合、ユーザが自動原稿給送装置３００から格納容器１０２を誤って取り外さないようにすることができるようにした本発明の第２の実施の形態について説明する。図６は、本実施の形態に係る自動原稿給送装置３００にセットされた格納容器１０２をユーザが誤って取り外さないように格納容器１０２をロックするロック機構の構成を説明する図である。
【００３９】
図６において、６００はロック機構であり、このロック機構６００は、格納容器１０２の格納容器本体１０２ａに形成された係止部１０２ｂに係脱自在に係止するレバー６０２と、レバー６０２を移動させるアクチュエータ６０１とを備えている。ここで、このアクチュエータ６０１はソレノイドやモータ等を備えており、通常は図６の（ｂ）に示すように、格納容器１０２の原稿給送装置３００へのセットを妨げないようにレバー６０２を下方の退避位置に移動させている。一方、コピーボタンが押下されるとアクチュエータ６０１が作動し、図６の（ａ）に示すようにレバー６０２を格納容器本体１０２ａの係止部１０２ｂに入り込ませるようにしている。
【００４０】
そして、このようにレバー６０２が係止部１０２ｂに入り込むことにより、図６の（ａ）の矢印に示す方向に格納容器１０２を抜き抜こうとしても、引き抜き方向と直交する方向に格納容器１０２と係合しているレバー６０２により引き抜きが規制される。なお、後述するように成果物Ｓ１が格納容器１０２の成果物格納部１２２に格納されると、表示部に成果物が収納された旨の表示が示されると共に、アクチュエータ５０１にはＯＦＦ信号が印加され、アクチュエータ６０１の作動は解除される。これにより、格納容器１０２の係合部１０２ｂとレバー６０２の係合が外れてロック機構６００による格納容器１０２の保持が終了し、格納容器１０２の取り外しが可能となる。
【００４１】
次に、このような格納容器１０２を用いて行われる複写機２００の複写動作について図７に示すフローチャートを用いて説明する。ユーザは、他人に見せたくない原稿を複写しようとする場合、まず複写する原稿Ｄを格納容器１０２の原稿格納庫１１０に格納する（Ｓ５０２）。次に、格納容器１０２を自動原稿給送装置３００にセット（接続）する（Ｓ５０３）。この際、第２シャッタ１０７は、バネに抗しながら下方回動し、これにより原稿格納庫１１０、読取原稿格納庫１０４及び成果物格納庫１２２の給送部側が開放される。
【００４２】
次に、ユーザが操作部２５３に設けられた不図示のコピーボタンを押下すると（Ｓ５０４のＹ）、ロック機構６００のアクチュエータ６０１にＯＮ信号が印加されアクチュエータ６０１が作動する（Ｓ５０５）。これにより、レバー６０２が格納容器本体１０２ａの係止部１０２ｂに入り込み、抜くことが出来ないように格納容器１０２が保持される。また、操作部２５３の表示部２５３ａには、「コピー中につき格納容器は外せません」が表示される（Ｓ５０６）。
【００４３】
次に、原稿格納庫１１０に格納された原稿Ｄが自動原稿給送装置３００の給送部３０２によりプラテンガラス２０３上の画像読み取り位置に順次搬送される。そして、この位置で順次画像読取手段２０４により原稿が読取られ、順次読み取った読取原稿データは内部メモリ２５２に格納される（Ｓ５０７）。また、このように画像情報が読み取られた読取原稿Ｄ１は、排紙ローラ３０７により搬送されて格納容器１０２の読取原稿格納庫１０４に格納される（Ｓ５０８）。
【００４４】
次に、このような原稿画像の読み取り及び読取原稿Ｄ１の格納を順次行い、やがて読取原稿Ｄ１の読取原稿格納庫１０４への格納が全て終了すると、操作部２５３に設けられた表示部２５３ａには読取が終了したことを示す「読取終了」が表示される（Ｓ５０９）。この表示の後、内部メモリ２５２の読み取りデータに基づき画像形成が開始される。
【００４５】
次に、画像形成された成果物Ｓ１は、切換部材４０４に切換により格納通路４０３に搬送され、排紙ローラ２２６により、格納容器１０２の格納場所である成果物格納庫１２２に格納される（Ｓ５１０）。なお、この後、このように成果物Ｓ１が成果物格納庫１２２に順次格納され、やがて全ての成果物Ｓ１が格納されると、操作部２５３の表示部２５３ａには、成果物Ｓ１が格納されたことを示す「格納終了」が表示される（Ｓ５１１）。そして、このような表示が行われると、アクチュエータ５０１にＯＦＦ信号が印加されアクチュエータ５０１の作動は解除される（Ｓ５１２）。そして、このアクチュエータ５０１の作動解除により格納容器１０２の係合部１０２ａとレバー６０２の係合が外れ、ロック機構６００による格納容器１０２の保持（ロック）は終了する。
【００４６】
そして、このようなロック機構６００の保持（ロック）が終了すると、格納容器１０２を自動原稿給送装置３００から取り外す（Ｓ５１３）。なお、このように格納容器１０２を取り外した後、ユーザは第１シャッタ１０５を開放して読取原稿格納庫１０４内の読取原稿Ｄ１を取り出し、更に成果物Ｓ１を成果物格納庫１２２の第２の蓋１２０を開放することにより取り出す。
【００４７】
このように、ロック機構６００を設けることにより、原稿読み取り中、又は画像形成中、ユーザが誤って格納容器１０２を自動原稿給送装置３００から取り外さないようにすることができる。なお、これまでの説明においては、原稿と読取原稿を分離して格納することができるよう、図２に示すような３層構造の格納容器１０３を用いたが、本発明は、これに限らない。例えば、格納容器１０２を、図８に示すように原稿及び読取原稿Ｄ１を同一の第１の格納部１０４Ａに格納するようにして二層式の構成としても良い。この構成の場合、第１の格納部１０４Ａへの原稿の格納及び読取原稿Ｄの取り出しは、第２シャッタ１０７を開放することにより行う。
【符号の説明】
【００４８】
１０２…格納容器、１０４…読取原稿格納庫、１１０…原稿格納庫、１２２…成果物格納庫、２００…複写機、２００Ａ…複写機本体、２０１…画像読取装置、２０２…スキャナ部、２０４…画像読取手段、２２０…画像形成部、２５０…制御部、２５３…操作部、２５３ａ…表示部、３００…自動原稿給送装置（ＡＤＦ）、４０２…シート排出通路、４０３…格納通路、４０４…切換部材、６００…ロック機構、６０１…アクチュエータ、６０２…レバー、Ｄ…原稿、Ｄ１…読取原稿、Ｓ…シート、Ｓ１…成果物、ＳＬ…ソレノイド
【図１】
2010232864.tif 000003
【図２】
2010232864.tif 000004
【図３】
2010232864.tif 000005
【図４】
2010232864.tif 000006
【図５】
2010232864.tif 000007
【図６】
2010232864.tif 000008
【図７】
2010232864.tif 000009
【図８】
2010232864.tif 000010